(57)【特許請求の範囲】
【請求項１】
動画像データを生成する動画生成部と、
前記動画生成部が前記動画像データを生成中に静止画像データを生成する静止画生成部と、
前記静止画像データが生成されたタイミングに基づいて前記動画像データを複数部分に区分する動画区分部と、
表示部と、
前記静止画像データおよび複数部分に区分された前記動画像データのそれぞれに基づく複数のサムネイル画像を時系列表示するよう前記表示部を制御する表示制御部と、
操作部と、
前記操作部の操作を受け付けて、前記表示部に時系列表示された前記複数のサムネイル画像のいずれかを選択する選択部と、
前記選択部により選択されたサムネイル画像の示す静止画像データ又は複数部分に区分された動画像データを、前記表示部への表示開始データとし、
前記表示開始データから時系列に従って前記静止画像データ又は前記複数部分に区分された動画像データを表示するよう前記表示部を制御する第二の表示制御部と、
を備えた、撮像装置。
【請求項２】
前記第二の表示制御部は、前記表示開始データから時系列に従って前記静止画像データ又は前記複数部分に区分された動画像データの先頭から一定時間分の動画像データを表示するよう前記表示部を制御する、
請求項１に記載の撮像装置。
【発明の詳細な説明】
【技術分野】
【０００１】
本発明は撮像装置に関する。特に、動画記録および静止画記録が可能な撮像装置に関する。
【背景技術】
【０００２】
動画記録中に静止画記録の可能なカメラが知られている。特許文献１は、動画の再生中において、その動画の撮影中に撮影されていた静止画がある場合、静止画マークを画面表することにより、静止画の存在を報知するカメラを開示している。
【先行技術文献】
【特許文献】
【０００３】
【特許文献１】特開2004-304425号公報
【発明の概要】
【発明が解決しようとする課題】
【０００４】
動画記録中に静止画記録の可能なカメラは、動画と、その動画記録中に撮影した静止画とを混在して記録媒体に記録することになる。そのため、撮影した静止画が、撮影した動画中のどのようなタイミングにおいて記録されたものなのかを、使用者が確認しやすいことが望まれる。
【０００５】
本発明は上記課題を鑑みてなされたものであり、動画記録中に静止画記録した場合において、記録した静止画が、動画中のどのようなタイミングにおいて記録されたものなのかを、使用者が容易に確認できる撮像装置を提供することを目的とする。
【課題を解決するための手段】
【０００６】
上記課題を解決するために、本発明の撮像装置は、動画像データを生成する動画生成部と、動画生成部が動画像データを生成中に静止画像データを生成する静止画生成部と、静止画像データが生成されたタイミングに基づいて動画像データを複数部分に区分する動画区分部と、表示部と、静止画像データと、複数部分に区分された動画像データとを、時系列表示するよう表示部を制御する表示制御部と、を備える。
【発明の効果】
【０００７】
本発明によれば、動画記録中に静止画記録した場合において、記録した静止画が、動画中のどのようなタイミングにおいて記録されたものなのかを、使用者が容易に確認できる撮像装置を提供することができる。
【図面の簡単な説明】
【０００８】
【図１】デジタルカメラの電気的構成を示すブロック図
【図２】デジタルカメラの背面図
【図３】動画記録中の静止画記録のフローチャート
【図４】動画記録中の静止画記録のイメージ図
【図５】静止画再生モードのフローチャート
【図６】静止画サムネイル表示のイメージ図
【図７】各再生モードのスライドショーのイメージ図
【図８】動画再生モードのフローチャート
【図９】動画サムネイル表示のイメージ図
【図１０】動画静止画混在再生モードのフローチャート
【図１１】動画静止画混在サムネイル表示のイメージ図
【図１２】動画静止画混在サムネイル階層表示のイメージ図
【発明を実施するための形態】
【０００９】
〔１．  実施の形態１〕
実施の形態１に係るデジタルカメラ１００は、動画と静止画を同時に撮影できるデジタルカメラであって、動画静止画混在のスライドショー表示を指定された場合には時系列に表示することができる。また、動画静止画混在のサムネイル画像を時系列に配列表示することができる。以下、添付図面を参照して、実施の形態１を詳細に説明する。
【００１０】
〔１−１．  構成〕
図１に実施の形態１のデジタルカメラ１００の電気的構成ブロック図を示す。
【００１１】
デジタルカメラ１００は、被写体像を光学系１１０を通してＣＣＤイメージセンサ１０４で撮像する。撮像により作成された画像データはＡＦＥ１０５や画像処理部１０６において各種処理を施される。画像データはフラッシュメモリ１２０やメモリカード１２２に記録される。フラッシュメモリ１２０やメモリカード１２２に保存された画像データは、使用者による操作部１３０の操作を受け付けて液晶ディスプレイ１４０上に表示される。以下でデジタルカメラ１００における各電気的構成の詳細を説明する。
【００１２】
フォーカスレンズ１０１は焦点距離の調節に用いられる。ズームレンズ１０２は拡大縮小倍率の調節に用いられる。絞り１０３は絞りの開き具合の調節に用いられる。フォーカスレンズ１０１、ズームレンズ１０２、絞り１０３の動作は駆動装置を介してコントローラ１１０により制御される。なお、光学系１１０は収差補正等のためレンズ構成は何枚でも何群でもよい。また、光学系１１０に光学式手ぶれ補正レンズOIS（Optical Image Stabilizer）（図示せず）を含んでいてもよい。
【００１３】
ＣＣＤイメージセンサ１０４は光学系１１０を通して集光された光を電気信号へと変換する。ＣＣＤイメージセンサ１０４の受光面には多数のフォトダイオードが2次元的に配列されている。被写体からの光は光学系１１０を通過したのちにＣＣＤイメージセンサ１０４上の受光面に結像される。そして、被写体からの光は受光面にて光電効果により電荷として蓄えられる。各受光面で蓄えられた電荷は垂直ＣＣＤおよび水平ＣＣＤによってアンプに転送される、その結果、画像信号が生成される。なお、ＣＣＤイメージセンサ１０４に代えて、例えばＣＭＯＳイメージセンサやＮＭＯＳイメージセンサなど、他の撮像素子を用いても良い。
【００１４】
ＡＦＥ１０５は、ＣＣＤイメージセンサ１０４で生成された画像信号に対して、相関二重サンプリング、ゲイン調整、およびアナログ形式の画像データからデジタル形式の画像データへの変換を施す。その後、ＡＦＥ１０５は画像データを画像処理部１０６に出力する。
【００１５】
画像処理部１０６は、画像データに対して各種の処理を施す。各種処理としては、ガンマ補正、ホワイトバランス補正、ＹＣ変換処理、電子ズーム処理、動画圧縮伸張処理、静止画圧縮伸張処理等が挙げられるが、これらに限定されるものではない。また、これらの一部を欠く構成としてもよい。画像処理部１０６は、ハードワイヤードな電子回路で構成してもよいし、プログラムを用いたマイクロコンピュータなどで構成してもよい。またコントローラ１１０などとともに１つの半導体チップで構成してもよい。
【００１６】
液晶ディスプレイ１４０は、デジタルカメラ１００の背面に備わる。液晶ディスプレイ１４０は、画像処理部１０６にて処理された画像データに基づく画像を表示する。液晶ディスプレイ１４０が表示する画像には、スルー画像や記録画像がある。スルー画像は、デジタルカメラ１００が撮影モードにあるときに、ＣＣＤイメージセンサ１０４により一定時間ごとに生成される新しいフレームの画像が、連続して表示される画像である。通常は、デジタルカメラ１００が撮影モードにあるときに、画像処理部１０６がＣＣＤイメージセンサ１０４の生成した画像データからスルー画像を生成する。使用者は、液晶ディスプレイ１４０に表示されるスルー画像を参照することにより、被写体の構図を確認しながら撮影できる。記録画像は、デジタルカメラ１００が再生モードにあるときに、メモリカード１２２等に記録された高画素の画像を液晶ディスプレイ１４０に表示するために低画素に縮小した画像である。メモリカード１２２に記録される高画素の画像情報は、使用者によるレリーズ釦１５０の操作を受け付けた後に、ＣＣＤイメージセンサ１０４が生成した画像情報に基づいて画像処理部１０６により生成される。
【００１７】
コントローラ１１０は、デジタルカメラ１００全体の動作を統括制御する。コントローラ１１０は、ハードワイヤードな電子回路で構成してもよいし、プログラムを用いたマイクロコンピュータなどで構成してもよい。また、画像処理部１０６などと共に1つの半導体チップで構成してもよい。また、コントローラ１１０は内部メモリ（不図示）を備えるようにしてもよい。内部メモリには、コントローラ１００がデジタルカメラ１００の各部を制御するためのプログラムや、ＡＦ制御やＡＥ制御に関するプログラムを格納している。コントローラ１１０は、垂直同期信号を定期的に生成し、ＴＧ１０７に出力する。
【００１８】
ＴＧ１０７は、垂直同期信号に基づいて、ＣＣＤイメージセンサ１０４、ＡＦＥ１０５、画像処理部１０６を駆動するための同期信号を生成する。
【００１９】
バッファメモリ１１９は、画像処理部１０６やコントローラ１１０のワークメモリとして機能する記憶手段である。バッファメモリ１１９はＤＲＡＭ（Dynamic Random Access Memory）などで実現できる。
【００２０】
フラッシュメモリ１２０は、画像データ等を記憶するための内部メモリとして機能する。コントローラ１１０は、画像処理部１０６で処理される画像データをフラッシュメモリ１２０に記憶させたり、メモリカード１２２に記憶させたりする。
【００２１】
カードスロット１２１は、メモリカード１２２を着脱可能な接続手段である。カードスロット１２１は、メモリカード１２２を電気的及び機械的に接続可能である。また、カードスロット１２１は、メモリカード１２２を制御する機能を備えてもよい。
【００２２】
メモリカード１２２は、内部にフラッシュメモリ等の記憶部を備えた外部メモリである。メモリカード１２２は、画像処理部１０６で処理される画像データなどのデータを記憶可能である。本実施例では、外部メモリの一例としてメモリカード１２２を示すが、光ディスク等の記憶媒体を外部メモリとしてもよい。
【００２３】
操作部１３０は、デジタルカメラ１００の上面や背面に備わっているボタン状やスライド状の部材であり、使用者による操作を受け付ける。図２は、デジタルカメラ１００の背面図を示す。デジタルカメラ１００の上面にはレリーズ釦１５０、背面には液晶ディスプレイ１４０、動画記録釦１５１、選択釦１５２、決定釦１５３を有している。レリーズ釦１５０、動画記録釦１５１、選択釦１５２、決定釦１５３は、操作部１３０にあたる。レリーズ釦１５０は、使用者により押下されると静止画記録を行う旨をコントローラ１１０に指示する。動画記録釦１５１は、使用者による押下操作を受け付けて、動画記録を行う旨をコントローラ１１０に指示する。選択釦１５２は、使用者による押下操作を受け付けて、液晶ディスプレイ１４０に表示されたカーソル表示を移動する旨をコントローラ１１０に指示する。決定釦１５２は、使用者による押下操作を受け付けて、液晶ディスプレイ１４０に表示されたカーソル表示の示す項目を決定する。
【００２４】
〔１−２．  動作〕
以下では、実施の形態１に係るデジタルカメラ１００の動画記録中に静止画を同時撮影したときの動作および、動画と静止画が混在したスライドショー表示およびサムネイル表示を説明する。
【００２５】
〔１−２−１．  動画記録中の静止画記録動作〕
まず、動画記録中に静止画を同時撮影したときの動作について、図３を用いて説明する。図３は、動画記録中の静止画記録のフローチャートである。
【００２６】
デジタルカメラ１００が撮影モードにあるときに、使用者により動画記録釦１５１の操作がなされると、デジタルカメラ１００は動画記録を開始する（Ｓ２００）。このとき、ＣＣＤイメージセンサ１０４は、所定のフレームレートで画像を撮像する。撮像された画像は、画像処理部１０６にて動画記録処理が為された後、動画像データとしてバッファメモリ１１９に逐次記憶される。
【００２７】
デジタルカメラ１００の動画記録状態において、コントローラ１１０は、使用者によるレリーズ釦１５０の操作がなされたか否かを監視している（Ｓ２０１）。デジタルカメラ１００の動画記録状態において、使用者によりレリーズ釦１５０が押下されると、その押下のタイミングに撮像され、画像処理部１０６によりＹＣ変換処理した画像データに対して静止画圧縮処理を行う。コントローラ１１０は、この静止画圧縮処理された画像データをメモリカード１２２に記録する。また、このときコントローラ１１０は、静止画情報を生成し、バッファメモリ１１９に格納する。静止画情報は、一連の動画ストリーミングにおいて使用者が静止画記録を指示した箇所を示す情報である。
【００２８】
静止画記録された後も、再び使用者により動画記録釦１５１が押下されるまで動画記録は続行される（Ｓ２０３）。使用者により動画記録釦１５１が押下されると、コントローラ１１０は、動画記録を終了する。このとき、コントローラ１１０は、バッファメモリ１１９に格納されている静止画情報を読み出す。そして、コントローラ１１０は、それまでの間にバッファメモリ１１９上に展開されている動画像データに対して動画像圧縮処理を施し、読み出した静止画情報と関連付けた上でメモリカード１２２に記録する。
【００２９】
動画記録中に静止画記録がされた場合の動画ストリームの分割のされ方について、図４を用いて説明する。図４は、動画記録中の静止画記録のイメージ図である。図４は、動画ストリームＡを記録した後に動画ストリームＢを記録する場合を示している。図４（ａ）は、動画ストリームＡの記録動作中に、静止画像データａ-１および静止画像データａ-２をメモリカード１２２に記録している場合を示す。また図４（ｂ）は、動画ストリームＢの記録動作中に静止画像データｂ−１を記録している場合を示す。動画ストリームＡおよび動画ストリームＢはそれぞれ一連の動画データであるが、静止画記録のタイミングにおいて生成された静止画情報を参照することにより、コントローラ１１０は、静止画記録された前後において動画ストリームを区分けすることができる。つまり、動画ストリームＡは、静止画像a―１および静止画像ａ―２を記録したタイミングの前後で動画像Ａ−１、動画像Ａ−２、動画像Ａ−３の３部分の動画データに区分される。動画ストリームＢも同様に、静止画像ｂ―１を記録したタイミングの前後で、動画像Ｂ−１、動画像Ｂ−２に区分けすることができる。なお、動画ストリームは、物理的に区分け（ストリームファイルを分割する）しても、論理的に区分け（ストリームファイルは一つでチャプタのような管理で擬似的に分割する）してもよい。但し、物理的に動画ストリームを区分けする場合は、区分けしたストリーム間のバッファモデルを維持し、区分けされた複数の動画ストリームを一連で再生する際、シームレスになるように考慮するとよい。
【００３０】
〔１−２−２．  動画静止画混在再生〕
次に、デジタルカメラ１００の再生モードについて、図を用いて説明する。
【００３１】
デジタルカメラ１００は、メモリカード１２２に記録した画像データの再生モードとして、静止画再生モードと、動画再生モードと、動画静止画混在再生モードとを有している。使用者は、選択釦１５２や決定釦１５３を操作することにより、液晶ディスプレイ１４０に表示されたメニュー画面からいずれかのモードを選択することができる。各再生モードについて以下順に説明する。なお、以下の説明において、メモリカード１２２が記録している静止画像データおよび動画像データは、図４の説明の中において記録した動画像ストリームＡ、動画ストリームＢ、静止画像ａ−１、静止画像ａ−２、静止画像ｂ−１とする。
【００３２】
まず、静止画再生モードについて説明する。図５は、静止画再生モードのフローチャートである。使用者が静止画再生モードを選択すると、コントローラ１１０は、メモリカード１２２から静止画像データを読み出す。続いて、コントローラ１１０は、読み出した静止画像データのサムネイル画像を生成するよう画像処理部１０６を制御する。静止画像データのサムネイル画像が生成されると、コントローラ１１０は、液晶ディスプレイ１４０にそれぞれのサムネイル画像を表示する。図６は、静止画サムネイル表示のイメージ図である。液晶ディスプレイ１４０が表示する静止画サムネイル画面Ｄ１５０上には、静止画像ａ−１、静止画像ａ−２、静止画像ｂ−１のサムネイル画像が表示されている。このとき、それぞれの静止画像は、静止画サムネイル画面Ｄ１５０上に撮影日時順に配置される。各静止画像のサムネイル画像上には、静止画像であることを示す静止画アイコンＤ１５２が表示される。これにより、使用者は、サムネイル画像の示す画像が静止画像であることを容易に確認できる。また、図６の静止画サムネイル画面Ｄ１５０において、静止画像ａ−１のサムネイル画像上には選択枠Ｄ１５２が重畳表示されている。選択枠Ｄ１５２は、使用者による選択釦１５２の操作により上下左右方向に移動可能である。また、静止画サムネイル画面Ｄ１５０において、使用者により決定釦１５３が押下されると、コントローラ１１０は、選択枠Ｄ１５２に重畳表示されているサムネイル画像が示す静止画を開始画像としてスライドショーを開始する（Ｓ３０１）。
【００３３】
図７（ａ）は、静止画再生モードのスライドショーのイメージ図である。メモリカード１２２に記録されている静止画は撮影日時が古い順から静止画像ａ−１、静止画像ａ−２、静止画像ｂ−１である。静止画像ａ−１をスライドショーの開始画像として選択された場合、液晶ディスプレイ１４０は、静止画像ａ−１、静止画像ａ−２、静止画像ｂ−１の順に各静止画像を所定時間ずつ（例えば５秒ずつ）再生表示する（Ｓ３０２）。液晶ディスプレイ１４０は、静止画像ｂ−１まで表示を終えると、スライドショー表示を終了し、静止画サムネイル画面Ｄ１５０の表示に復帰する。
【００３４】
続いて、動画再生モードについて説明する。図８は、動画再生モードのフローチャートである。使用者が動画再生モードを選択すると、コントローラ１１０は、メモリカード１２２から動画像データを読み出す（Ｓ４００）。続いて、コントローラ１１０は、読み出した動画画像データのサムネイル画像を生成するよう画像処理部１０６を制御する。この場合、メモリカード１２２に記録されている動画像データは、動画ストリームＡと、動画ストリームＢであるため、画像処理部１０６は、動画ストリームＡの先頭付近の画像に基づくサムネイル画像と、動画ストリームＢの先頭付近の画像に基づくサムネイル画像とを生成する。動画像データのサムネイル画像が生成されると、コントローラ１１０は、液晶ディスプレイ１４０にそれぞれのサムネイル画像を表示する。図９は、動画サムネイル表示のイメージ図である。液晶ディスプレイ１４０が表示する動画サムネイル画面Ｄ１５３上には、動画ストリームＡ、動画ストリームＢのサムネイル画像が表示されている。このとき、それぞれの動画ストリームのサムネイル画像は、動画サムネイル画面Ｄ１５３上に撮影日時順に配置される。各動画ストリームのサムネイル画像上には、動画像であることを示す動画アイコンＤ１５５が表示される。これにより、使用者は、サムネイル画像の示す画像が動画像であることを容易に確認できる。また、図９の動画サムネイル画面Ｄ１５３において、動画ストリームＡのサムネイル画像には選択枠Ｄ１５４が重畳表示されている。選択枠Ｄ１５４は、使用者による選択釦１５２の操作により上下左右方向に移動可能である。また、動画サムネイル画面Ｄ１５３において、使用者により決定釦１５３が押下されると、コントローラ１１０は、選択枠Ｄ１５２に重畳表示されている動画ストリームを開始動画ストリームとしてスライドショーを開始する（Ｓ４０１）。
【００３５】
図７（ｂ）は、動画再生モードのスライドショーのイメージ図である。メモリカード１２２に記録されている動画ストリームは撮影日時が古い順から動画ストリームＡ、動画ストリームＢである。動画ストリームＡをスライドショーの開始画像として選択された場合、液晶ディスプレイ１４０は、動画ストリームＡ、動画ストリームＢの順に再生表示する（Ｓ４０２）。液晶ディスプレイ１４０は、動画ストリームＢの終了まで再生表示を終えると、スライドショー表示を終了し、動画サムネイル画面Ｄ１５３の表示に復帰する。
【００３６】
最後に、動画静止画混在再生モードについて説明する。図１０は、動画静止画混在再生モードのフローチャートである。使用者が動画静止画混在再生モードを選択すると、コントローラ１１０は、メモリカード１２２から静止画像データおよび動画像データを読み出す（Ｓ５００）。また、コントローラ１１０は、動画像データに関連付けて記録されている静止画情報を読み出す。続いて、コントローラ１１０は、読み出した静止画像データおよび動画像データのサムネイル画像を生成するよう画像処理部１０６を制御する。読み出した静止画像データには、読み出した動画像データと同時に記録されたデータが含まれている。コントローラ１１０は、動画像データに関連付けて記録されている静止画情報に基づいて、静止画記録のタイミングの前後で区分けされた動画像データの部分を認識することができる。この場合、静止画像a―１および静止画像ａ―２を記録したタイミングの前後で動画ストリームＡが動画像Ａ−１、動画像Ａ−２、動画像Ａ−３の３部分の動画データに区分されることを、コントローラ１１０は認識する。同様に、静止画像ｂ−１を記録したタイミングの前後で、動画像Ｂ−１、動画像Ｂ−２に動画ストリームＢが区分けされることを、コントローラ１１０は認識する。画像処理部１０６は、区分けされた動画像Ａ−１、動画像Ａ−２、動画像Ａ−３、動画像Ｂ−１、動画像Ｂ−２のそれぞれの先頭付近の画像に基づいてサムネイル画像を生成する。
【００３７】
静止画像データおよび動画像データのそれぞれサムネイル画像が生成されると、コントローラ１１０は、液晶ディスプレイ１４０にそれぞれのサムネイル画像を表示する。図１１は、動画静止画混在サムネイル表示のイメージ図である。液晶ディスプレイ１４０が表示する動画静止画混在サムネイル画面Ｄ１５６上には、画像処理部１０６にて生成されたサムネイル画像が表示されている。このとき、それぞれの静止画像データおよび動画像データのサムネイル画像は、動画静止画混在サムネイル画面Ｄ１５６上に時系列で配置される。すなわち、動画静止画混在サムネイル画面Ｄ１５６上には、動画像Ａ−１、静止画像ａ―１、動画像Ａ−１、静止画像ａ−２、動画像Ａ−３、動画像Ｂ−１、静止画像ｂ−１、動画像Ｂ−２の順に配置される。これにより、撮影した静止画が、撮影した動画中のどのようなタイミングにおいて撮影されたものなのかを、使用者が確認しやすくなる。各サムネイル画像上には、静止画像であることを示す静止画アイコンＤ１５９や、動画像であることを示す動画アイコンＤ１５８が表示される。これにより、使用者は、サムネイル画像の示す画像が静止画であるか動画であるかを容易に確認できる。また、図１１の動画静止画混在サムネイル画面Ｄ１５６において、動画ストリームＡ−１のサムネイル画像には選択枠Ｄ１５７が重畳表示されている。選択枠Ｄ１５７は、使用者による選択釦１５２の操作により上下左右方向に移動可能である。また、動画静止画混在サムネイル画面Ｄ１５６において、使用者により決定釦１５３が押下されると、コントローラ１１０は、選択枠Ｄ１５７に重畳表示されているサムネイル画像の示す静止画像または動画像を開始静止画または開始動画としてスライドショーを開始する（Ｓ５０１）。
【００３８】
図７（ｃ）は、動画静止画混在再生モードのスライドショーのイメージ図である。メモリカード１２２に記録されている静止画像および動画像は、時系列順に動画像Ａ−１、静止画像ａ―１、動画像Ａ−２、静止画像ａ−２、動画像Ａ−３、動画像Ｂ−１、静止画像ｂ−１、動画像Ｂ−２である。以下において、動画像Ａ−１をスライドショーの開始画像として選択された場合を説明するとする。
【００３９】
コントローラ１１０は、スライドショーの再生表示中において、静止画情報の示すタイミングを監視している（Ｓ５０２）。すなわち、コントローラ１１０は、動画像の記録中に静止画像が記録されたタイミングを監視しており、動画像の再生表示中において静止画像記録されたタイミングに到達したか否かを判定することができる。コントローラ１１０は、動画像Ａ−１の再生表示中において、静止画記録されたタイミングに到達したことを判定すると、該当の静止画像ａ−１を所定時間（例えば５秒間）、液晶ディスプレイ１４０に表示させる（Ｓ５０３）。液晶ディスプレイ１４０は、静止画像ａ−１を所定時間再生表示した後、静止画像ａ−１により区分けられた動画ストリームＡの続きである動画像Ａ−２の再生表示を開始する。同様に、コントローラ１１０は、動画像Ａ−２の再生表示中において、静止画記録されたタイミングに到達したことを判定すると、該当の静止画像ａ−２を所定時間（例えば５秒間）、液晶ディスプレイ１４０に表示させる。液晶ディスプレイ１４０は、静止画像ａ−２を所定時間再生表示した後、静止画像ａ−２に区分けられた動画ストリームＡの続きである動画像Ａ−３の再生表示を開始する。液晶ディスプレイ１４０は、動画像Ａ−３の再生表示を終了すると、時系列の続きとなる動画像がメモリカード１２２に存在するか否かを判定する（Ｓ５０４）。この場合、動画像Ａ−３の時系列の続きとなる動画像Ｂ−１が存在するため、液晶ディスプレイ１４０は動画像Ｂ−１の再生表示を開始する。以降も動画像Ａのときと同様に、動画ストリームの記録中に静止画記録されたタイミングに従って、液晶ディスプレイ１４０は、動画像と静止画像の混在表示を継続する。液晶ディスプレイ１４０は、動画像Ｂ−２の終了まで再生表示を終えると、スライドショー表示を終了し、動画静止画混在サムネイル画面Ｄ１５６の表示に復帰する。
【００４０】
以上説明したように、実施の形態１に係るデジタルカメラ１００は、動画記録中に静止画記録可能であり、動画静止画混在再生モードを使用者が指定した場合には、動画像と、該動画の記録中に同時記録された静止画像とを時系列に表示する。これにより、使用者は、動画像と該動画像の記録中に同時記録された静止画像とを時系列順に鑑賞することができる。
【００４１】
また、実施の形態１に係るデジタルカメラ１００は、動画静止画混在のサムネイル画面において、動画像のサムネイル画像と、該動画の記録中に同時記録された静止画像のサムネイル画像とを時系列に配置して表示する。これにより、動画記録中に静止画記録した場合において、記録した静止画が動画記録中のどのようなタイミングにおいて記録されたものなのかを、使用者は、時系列に配置されたサムネイル画像を見ることにより容易に確認できる。
【００４２】
また、実施の形態１に係るデジタルカメラ１００は、動画静止画混在のサムネイル画面において、選択枠Ｄ１５４を操作して選択したサムネイル画像の示す静止画像または動画像から再生表示を開始することができる。上記の説明においては、動画像Ａ−１からスライドショーを開始する場合を説明したが、いずれの静止画像または動画像から再生表示を開始してもよい。例えば、静止画像ａ−１が動画記録中のどのようなタイミングにおいて記録されたものかを更に詳細に確認したい場合には、動画像Ａ−２から再生表示を開始するとよい。動画像Ａ−２は、静止画像ａ−１の記録タイミングによって区分けされた動画ストリームＡの一部分であり、時系列的には静止画ａ−１の記録タイミングよりも後に記録された動画像である。したがって、動画像Ａ−２から再生表示を開始することにより、記録した静止画が動画記録中のどのようなタイミングにおいて記録されたものなのかを更に詳細に確認することができる。
【００４３】
上記実施の形態１に係るデジタルカメラ１００において、動画静止画混在再生モード時は、図１１に示すような動画・静止画混在サムネイル表示をするとしたが、本発明はこれに限定されない。例えば、静止画像のサムネイル画像と、その静止画像に続く動画像のサムネイル画像とで同じサムネイル画像が２個並ぶことを避けるために、どちらか一方のサムネイル画像のみを表示するようにしてもよい。このとき、使用者がスライドショー再生の開始画像としたサムネイル画像が静止画像と動画像とを含むものであるならば、コントローラ１１０は、液晶ディスプレイ１４０に静止画像を一定時間（例えば５秒間）表示させた後に、それに続く動画像の再生をさせてもよい。
【００４４】
また、動画静止画混在再生モード時におけるサムネイル表示の他の実施形態として図１２に示すように階層表示を行ってもよい。図１２に示す動画・静止画混在サムネイル画面Ｄ１６０では、動画像Ａのサムネイル画像が選択枠Ｄ１６３によって選択された状態になっている。このとき、動画像Ａのストリーム中に記録された静止画像ａ−１、静止画像ａ−２のそれぞれのサムネイル画像が、動画像Ａのサムネイル画像の下方に展開されて表示される。これにより、一つのシーン（動画―撮影）をひとまとまりとして、そのシーンの間に記録された静止画像を管理することができる。
【００４５】
また、上記実施の形態１に係るデジタルカメラ１００の動画静止画混在スライドショー再生において、動画像の全体を再生するようにしたが、本発明はこれに限定されない。例えば、動画静止画混在スライドショー表示においては、動画像の先頭の一定時間（例えば５秒間）を再生させた後、その動画像に続く動画像または静止画像を再生させてもよい。これにより、使用者は、動画静止画混在スライドショー再生のだらだらとした視聴を避けることができる。
【００４６】
以上説明したように、デジタルカメラ１００によれば、動画記録中に静止画記録した場合において、記録した静止画が、動画中のどのようなタイミングにおいて記録されたものなのかを、使用者が容易に確認できる。
【産業上の利用可能性】
【００４７】
本発明はデジタルカメラに限定されるものではなく、カムコーダー、携帯電話などの撮像装置に適用することができる。
【符号の説明】
【００４８】
１００    デジタルカメラ
１０１    フォーカスレンズ
１０２    ズームレンズ
１０３    絞り
１０４    ＣＣＤイメージセンサ
１０５    ＡＦＥ
１０６    画像処理装部
１０７    ＴＧ
１１０    コントローラ
１１９    バッファメモリ
１２０    フラッシュメモリ
１２１    カードスロット
１２２    メモリカード
１３０    操作部
１４０    液晶ディスプレイ
１５０    レリーズ釦
１５１    動画記録釦
１５２    選択釦
１５３    決定釦
【図１】
0005556246.tif 000002
【図２】
0005556246.tif 000003
【図３】
0005556246.tif 000004
【図４】
0005556246.tif 000005
【図５】
0005556246.tif 000006
【図６】
0005556246.tif 000007
【図７】
0005556246.tif 000008
【図８】
0005556246.tif 000009
【図９】
0005556246.tif 000010
【図１０】
0005556246.tif 000011
【図１１】
0005556246.tif 000012
【図１２】
0005556246.tif 000013